(57)【要約】【課題】  和装帯を前結びで結んだ後、背中側に回動させる際、帯下体をきつく巻回しなくても共に回動しないようにし、且つ背中部分の着崩れを防止して、和装帯を前結びで簡単に結べるようにすることにある。【解決手段】  前結びされる和装帯の下に巻回装着される帯下体であって、滑り易い表生地４と滑りにくい裏生地５とを縫着し、両端部を背の腰部分で相互に止着する構成の長尺な帯下本体１のみぞおち及び両腰骨に対応する内面に前部滑り止め材７を配置すると共に、背の腰部分に対応する内面に後部滑り止め材８を配置したことを特徴とする構成である。【選択図】        図１
2009041118.tif 000002
【特許請求の範囲】
【請求項１】
前結びされる和装帯の下に巻回装着される帯下体であって、滑り易い表生地（４）と滑りにくい裏生地（５）とを縫着し、両端部を背の腰部分で相互に止着する構成の長尺な帯下本体（１）のみぞおち及び両腰骨に対応する内面に前部滑り止め材（７）を配置すると共に、背の腰部分に対応する内面に後部滑り止め材（８）を配置したことを特徴とする帯下体。
【発明の詳細な説明】
【技術分野】
【０００１】
本発明は、婦人用の和装にあって、和装帯の下に巻回装着される帯下体に関するものである。
【背景技術】
【０００２】
婦人の和装は、その着付けが難しく熟練を要するものである。着付けが未熟であると、所謂着崩れ状態となってしまうが、この着崩れの最も大きな原因は帯の締め方によっている。
【０００３】
周知のように、和装に際しては、長襦袢の紐結び、着物を着た後、タオルやガーゼ地等の巻付け、伊達巻、本帯、等々多くのものを胸元から胴体にかけて巻回しなければならず、未熟であるとこれ等による締め付けによって苦しく、多少なりとも省略すると着崩れの原因となっていたのである。
【０００４】
このような問題に鑑み、従来より以下の如き発明・考案が提案された。
【特許文献１】実公昭４８−３３５３１号公報
【特許文献２】特許第２９３８３８１号公報
【特許文献３】特許第３６５６０４７号公報
【発明の開示】
【発明が解決しようとする課題】
【０００５】
上記文献１は、前板の内面に滑り止めを固定した構成の伊達締め兼用前板であるが、この発明は単に伊達締めを目的としていて、着た着物を仮押さえするだけである。従って、伊達締めの上で前結びした和装帯の結び目を背中に回動させようとすると、共に回動してしまう問題がある。
【０００６】
また、上記文献２は、長尺な帯下本体の内側内に、下端を帯下本体の上下幅のほぼ中央に位置させて、下端部を比較的肉薄とすると共に、上端部を比較的肉厚とし、且つ下端を下方に膨出湾曲させた弾材を配置した構成であるが、ここでの帯下体もまた着物を着た後の仮止めとして使用するものであり、帯下体の仮止め状態で和装本帯を帯下体の上に巻回装着するのである。従って、帯下体の仮止め状態で本帯を前結びで巻回装着すると、結び終えた後に背中に回す際、上記文献１と同様に帯下体までも同時に回ってしまう不都合があった。
【０００７】
文献３は、上記した本帯を前結びで巻回装着した後に背中に回す際、帯下体までもが同時に回ってしまうことのないように、帯下体の内面に於けるみぞおち及び両腰骨部分に対応する箇所に滑り止め材を配置した構成で、この点では極めて有効であった。
【０００８】
処で、和装では様々な要因で着崩れが生じる。それは立ち上がったり座ったり、用を足したりすることによるものであるが、特に背中は両腰及び臀部に較べて窪んでいるため隙間が生じ、着物に皺が寄り易く、また動きと共に所謂「御端折り」部分がずれ上がったり線が乱れる問題が生じている。
【０００９】
よって本発明は、上述した従来技術の欠点、不都合、不満を解消するべく開発された帯下体であって、帯下体をきつく巻回しなくても回動したり、着崩れしないようにし、もって、和装帯を前結びで簡単に結べるようにすることを目的とする。
【課題を解決するための手段】
【００１０】
上記課題を解決するため、本発明の帯下体は、前結びされる和装帯の下に巻回装着される帯下体であって、滑り易い表生地と滑りにくい裏生地とを縫着し、両端部を背の腰部分で相互に止着する構成の長尺な帯下本体のみぞおち及び両腰骨に対応する内面に前部滑り止め材を配置すると共に、背の腰部分に対応する内面に後部滑り止め材を配置したことを特徴とする構成である。
【発明の効果】
【００１１】
従って本発明では、着物を着た上で巻回して仮止めし、本帯を前結びで結び、この結んだ本帯のみを右方向から回動させても、特にみぞおち及び両腰骨部分の前部滑り止め材と着物との摩擦抵抗によって、帯下体が本帯と共に回動してしまうことはない。
【００１２】
そして、窪んだ背中部分には後部滑り止め材が位置しているので、着物との摩擦抵抗によって着物に皺が生じにくくなり、また動きと共に御端折り部分がずれ上がったり線が乱れることもない。
【００１３】
よって本発明では、仮止めしている着物が着崩れてしまうことはなく、帯下体を強く巻回しなくても本帯の回動の際に共に回動してしまうことはないので、胸元が苦しくなるといったことがない等、多くの作用効果を有するのである。
【発明を実施するための最良の形態】
【００１４】
布で成形される帯状の帯下本体１は、胴に一重巻できる程度の長さを有し、両端部はやや幅狭なくびれ部２となっており、またこの両端部に面ファスナー３を配して、背中部分での相互の止着により、着物を着た状態の胴にしっかりと仮止め装着できるようになっている。
【００１５】
帯下本体１は滑り易い表生地４と滑りにくい裏生地５とを縫着した形態となっているが、帯下本体１の中央部では表生地４と裏生地５との間に、長さ方向に沿って全幅にわたって芯材６が縫着されている。尚、この芯材６には体温を逃がすために通気孔を開設する（図示省略）。
【００１６】
次に、裏生地５の中央部であって胴に装着した際にみぞおちに対応する部分、及び裏生地５の胴に装着した際に腰骨に対応する両脇部分、の三か所には、シート状の前部滑り止め材７が縫着配置されている。
【００１７】
この前部滑り止め材７は、摩擦抵抗力の大きい例えばゴム材や塩化ビニール等の合成樹脂材で成形され、通気性を良くするために適宜、メッシュ状の通孔が開設されている（図示省略）。
【００１８】
また、裏生地５の一方端部であって胴に装着した際に背の腰部分に対応する部分には後部滑り止め材８が縫着配置されている。この後部滑り止め材８もまた摩擦抵抗力の大きい例えばゴム材や塩化ビニール等の合成樹脂材で成形され、通気性を良くするために適宜、メッシュ状の通孔が開設されていること、前部滑り止め材７と同様である。
【実施例１】
【００１９】
従って、着物を着た上で本発明に係る帯下体を苦しくない程度に適度に巻回して仮止めし、更に和装本帯を前結びで結び、この結んだ和装本帯のみを右方向から回動させようとする場合、帯下体は、その内面の前部滑り止め材７及び後部滑り止め材８が着物に接触して大きな摩擦抵抗を生じているので、本帯と共に回動してしまうことはない。
【００２０】
この摩擦抵抗を充分に発揮させるには、前部滑り止め材７、後部滑り止め材８を内面全域、即ち胴に巻回した際の内面全周に配置するのが有効であるが、滑り止め材として上述したような材質のものを全周に配するとなると通気性が悪くなり、蒸れて発汗の原因になってしまう。
【００２１】
そこで本発明では、前部滑り止め材７を、身体に最も馴染み易い、みぞおち及び腰骨に対応する両脇の三か所に配置し、後部滑り止め材８を、隙間が生じ易い背の部分に配置したのであり、帯下体の回動を確実に防止することができる。
【００２２】
尚、図示実施例にあっての裏生地５中央部には、上端が開放された袋部９が形成され、羽毛等による通気性の良い弾材１０が収納される。この弾材１０は、前述した特許第２９３８３８１号公報で説明されているように、帯下体を胸元に巻回装着した際に上端部にゆとりを形成するためのもので、弾材１０の弾撥力によって、確固たる帯締めを達成しながらも胸元が苦しくならない利点を有する。
【００２３】
尚、図示実施例では、みぞおち部分に対応する前記した前部滑り止め材７は上記袋部９の表面に配される。また、袋部９はパスポートのような貴重品を収納することができるように、上下に全幅に渡った深いものになっている。
【図面の簡単な説明】
【００２４】
【図１】本発明にかかる帯下体の裏生地側からの全体正面図である。
【図２】要部の幅方向に沿ったＡ−Ａ線拡大断面図である。
【符号の説明】
【００２５】
１    帯下本体
２    くびれ部
３    面ファスナー
４    表生地
５    裏生地
６    芯材
７    前部滑り止め材
８    後部滑り止め材
９    袋部
１０  弾材
【図１】
2009041118.tif 000003
【図２】
2009041118.tif 000004